(57)【要約】【課題】引き紐が瞬時に引っ張られた場合であっても、ナースコールの呼び出しがなされるようにする。【解決手段】握り押ボタン式子機１０に装着されるアタッチメント１００において、引張部１３０の引き紐１３０Ｃが上方に引っ張られることにより、一対の把持部１１４Ａ，１１４Ｂを互いに接近させて、一対の把持部１１４Ａ，１１４Ｂの間、且つ、押ボタン１１の上方に設けられた押下部１１６を下方に変形させて、押ボタン１１を押下するように構成する。そして、引張部１３０の少なくとも一部（例えば介在部１３０Ｂ）に弾性部材を用いるようにする。これにより、引き紐１３０Ｃが瞬時に引っ張られた場合であっても、引き紐１３０Ｃが患者の衣服から外れてしまう前に、引張部１３０における弾性部材の部分が徐々に伸長するようになる。そして、弾性部材の部分が伸長し続けている間は、押ボタン１１が押され続けるようになる。【選択図】図２
2018064689.tif 000002
【特許請求の範囲】
【請求項１】
上面に押ボタンが設けられている握り押ボタン式子機に装着されるアタッチメントであって、
前記握り押ボタン式子機を間に挟んで互いに対向して、各々が前記握り押ボタン式子機の側面から離間して配置され、外部からの力を受けて互いに接近することが可能に構成された一対の把持部と、
一方が前記一対の把持部の各々に繋がれるとともに、他方に引き紐を有し、前記引き紐が上方に引っ張られることにより、前記一対の把持部を互いに接近させる引張部と、
前記一対の把持部の間、且つ、前記押ボタンの上方に設けられ、前記一対の把持部が互いに接近すると、下方に変形することにより、前記押ボタンを押下する押下部と
を備え、
前記引張部の少なくとも一部に弾性部材を用いた
ことを特徴とするアタッチメント。
【請求項２】
前記引張部は、
前記引き紐と、
前記押ボタンの上方にて前記一対の把持部の間に架け渡された架渡部と、
前記架渡部と前記引き紐との間に連結されて介在する介在部と
を備え、
前記介在部に、前記弾性部材が用いられている
ことを特徴とする請求項１に記載のアタッチメント。
【請求項３】
前記引張部は、
前記押ボタンの上方にて前記一対の把持部の間に架け渡された架渡部と、
前記架渡部に繋がれた前記引き紐とを備え、
前記架渡部および前記引き紐の少なくともいずれか一方に、前記弾性部材が用いられている
ことを特徴とする請求項１に記載のアタッチメント。
【請求項４】
前記引き紐は、所定値以上の引張力が加わるとロックが解除されて当該引き紐を二分するように構成された安全装置を備え、
前記弾性部材を伸長させるのに必要な引張力が、前記安全装置の前記ロックが解除されるのに必要な引張力よりも小さく設定されている
ことを特徴とする請求項２または３に記載のアタッチメント。
【発明の詳細な説明】
【技術分野】
【０００１】
本発明は、上面に押ボタンが設けられている握り押ボタン式子機に装着されるアタッチメントに関し、特に、引き紐を引っ張ると押しボタンを押下できるようになされたアタッチメントに関するものである。
【背景技術】
【０００２】
一般に、病院や介護施設などでは、ナースコールシステムが用いられている。ナースコールシステムは、患者や被介護者（以下、単に「患者」と言う）が、壁埋込形子機に接続されたナースコール子機の呼び出しボタンを押下することにより、看護師や介護士（以下、単に「看護師」と言う）を呼び出すことができるように成されたシステムである。
【０００３】
このようなナースコールシステムにおいて、患者がベッドから落下したり、患者がベッドから抜け出して徘徊したりすることを検出できるようにした技術が考案されている。例えば、下記特許文献１には、患者の衣服または身体に取り付けられた連結紐に設けられている接触具を、寝具またはベッドに固定された筐体に接触した状態にしておき、患者がベッドから起きだして接触具が筐体から外れると、監視装置または通信装置に通知されるようにした技術が開示されている。
【０００４】
また、下記特許文献２には、患者に取り付けられた連結紐に設けられているスイッチ差動片を、ベッドのヘッドボードに設置された筐体の開口部に差し込んでおき、患者がベッドから起きだしてスイッチ差動片が開口部から抜けると、体動検出回路のマイクロスイッチがオンとなり、その信号がナースステーションなどに設置されている監視手段に送信されるようにした技術が開示されている。
【０００５】
しかしながら、特許文献１，２に記載の技術では、筐体等の大掛かりな装置一式をナースコール子機とは別に用意しなければならないため、コストがかかるといった問題が生じていた。
【０００６】
ところで、下記特許文献３には、引張部（引き紐）を押ボタンの押し込み方向とは逆の方向に引っ張ることで、握り押ボタン式子機の胴部から離れて配置された把持部が胴部に向かう方向に接近し、レバー部が押ボタンを押圧するように構成された、握り押ボタン用アタッチメントが開示されている。この握り押ボタン用アタッチメントによれば、患者は、把持部を握ったり、引張部を引っ張ったりする等様々な方法で、押ボタンを押下することができるようになっている。
【０００７】
そこで、この特許文献３に記載の技術を上述の問題解決に応用することが一案として考えられる。すなわち、既存の握り押ボタン式子機に特許文献３のアタッチメントを装着し、引き紐の一端をアタッチメントに接続するとともに、引き紐の他端をクリップにより患者の衣服に接続する。このようにすれば、患者が徘徊（又は、ベッドから落下）した際に、引き紐が引っ張られることで、握り押ボタン式子機の押ボタンが押下され、ナースコールの呼び出しが行われるようになる。この握り押ボタン用アタッチメントによれば、特許文献１，２の技術と比べて低コストである。
【先行技術文献】
【特許文献】
【０００８】
【特許文献１】特開２００４−３１３３１２号公報
【特許文献２】特開２００２−１４３０９９号公報
【特許文献３】特開２００７−１９５８３６号公報
【発明の概要】
【発明が解決しようとする課題】
【０００９】
ここで、一般的な握り押ボタン式子機では、誤報を防ぐために、所定時間（例えば、０．３秒）以上継続して押ボタンを押していないと、ナースコールの呼び出しがなされないようになっている。しかしながら、上記した特許文献３の技術を用いた応用例では、引き紐が瞬時に引っ張られると、引き紐が伸びきってからすぐにクリップが患者の衣服から外れてしまう。このため、押ボタンが所定時間以上押されずに、ナースコールの呼び出しがなされないといった問題が生じる。
【００１０】
本発明は、このような問題を解決するために成されたものであり、引き紐が瞬時に引っ張られた場合であっても、ナースコールの呼び出しがなされるようにすることを目的とする。
【課題を解決するための手段】
【００１１】
上記した課題を解決するために、本発明では、上面に押ボタンが設けられている握り押ボタン式子機に装着されるアタッチメントにおいて、握り押ボタン式子機を間に挟んで互いに対向して配置された一対の把持部の間において、一対の把持部の各々に引張部を繋ぎ、引張部が有している引き紐が上方に引っ張られたとき、一対の把持部を互いに接近させて、一対の把持部の間、且つ、押ボタンの上方に設けられた押下部を、下方に変形させて押ボタンを押下するように構成している。そして、このように構成されたアタッチメントにおいて、引張部の少なくとも一部に弾性部材を用いるようにしている。
【発明の効果】
【００１２】
上記のように構成した本発明のアタッチメントによれば、引き紐が瞬時に引っ張られた場合であっても、伸びきった引き紐が患者の衣服から外れてしまう前に、引張部における弾性部材の部分が徐々に伸長するようになる。そして、弾性部材の部分が伸長し続けている間は、押ボタンが押され続けるようになる。さらに、押ボタンが押されている時間が所定時間に達したとき、ナースコールの呼び出しが行われるようになる。よって、本発明によれば、引き紐が瞬時に引っ張られた場合であっても、ナースコールの呼び出しがなされるようにすることができる。
【図面の簡単な説明】
【００１３】
【図１】本発明の一実施形態に係るアタッチメントの構成例を示す図である。
【図２】本発明の一実施形態に係るアタッチメントの動作説明を示す図である。
【図３】本発明の一実施形態に係るアタッチメントの第１変形例を示す図である。
【図４】本発明の一実施形態に係るアタッチメントに接続可能な握り部を示す図である。
【００１４】
〔アタッチメントの構成例〕
以下、本発明の一実施形態を図面に基づいて説明する。図１は、本発明の一実施形態に係るアタッチメント１００の構成例を示す図である。図１に示すアタッチメント１００は、握り押ボタン式子機１０の全体を覆うように、握り押ボタン式子機１０に装着されるものである。
【００１５】
握り押ボタン式子機１０は、概ね縦長の丸棒状をなしており、上面に押ボタン１１が設けられている。握り押ボタン式子機１０は、押ボタン１１が所定時間（例えば、０．３秒）以上押されると、その底面から引き出されたケーブル１２を介して、ナースコールシステム（図示省略）に対してナースコールの呼び出しを行うようになっている。なお、押ボタン１１は、当該押ボタン１１を押下する方向の力から解放されたとき、元の状態（押されていない状態）に自動的に復帰するようになっている。
【００１６】
このような握り押ボタン式子機１０に装着されるアタッチメント１００は、本体１１０と、引張部１３０と、固定ベルト１４０とを備えて構成されている。
【００１７】
本体１１０は、基部１１２と、一対の把持部１１４Ａ，１１４Ｂと、押下部１１６とを備えている。基部１１２は、握り押ボタン式子機１０の下部を内側に収容して、アタッチメント１００内でガタツキが生じないように握り押ボタン式子機１０を支持する部分である。なお、図示は省略するが、本体１１０は、基部１１２を軸として把持部１１４Ａ側と把持部１１４Ｂ側とに左右に開くことができるように構成されており、これにより、握り押ボタン式子機１０を内側に収容することができるようになっている。
【００１８】
一対の把持部１１４Ａ，１１４Ｂは、基部１１２から握り押ボタン式子機１０の側面に沿って、押ボタン１１を超える高さ位置まで上方に伸びる部分である。一対の把持部１１４Ａ，１１４Ｂは、握り押ボタン式子機１０を間に挟んで互いに対向して、各々が握り押ボタン式子機１０の側面から離間して配置されており、外部からの力を受けて互いに接近することが可能に構成されている。
【００１９】
具体的には、一対の把持部１１４Ａ，１１４Ｂは、可撓性を有する材料によって形成されている。これにより、一対の把持部１１４Ａ，１１４Ｂは、外部から力が加えられたとき、下端が基部１１２に固定された状態のまま、全体が握り押ボタン式子機１０の方向に撓むことができるようになっている。一対の把持部１１４Ａ，１１４Ｂは、このように少なくとも一方が撓むことで、互いに接近する（すなわち、互いの距離が狭まる）ようになっている。一対の把持部１１４Ａ，１１４Ｂの各々の表面は、握り押ボタン式子機１０の表面に沿って湾曲した形状を有している。これにより、一対の把持部１１４Ａ，１１４Ｂは、患者が違和感なく掌で把持することができるようになっている。
【００２０】
なお、一対の把持部１１４Ａ，１１４Ｂは、外部からの力が加えられなくなったとき、その素材自体の弾力によって、元の状態（握り押ボタン式子機１０の側面から離間した位置に戻った状態）に復帰するようになっている。
【００２１】
押下部１１６は、一対の把持部１１４Ａ，１１４Ｂの間、且つ、押ボタン１１の上方に設けられている。押下部１１６は、一対の把持部１１４Ａ，１１４Ｂが互いに接近すると、下方に変形することにより、押ボタン１１を押下するように構成されている。押下部１１６の具体的な構成および動作については、図２を用いて後述する。
【００２２】
引張部１３０は、一方が一対の把持部１１４Ａ，１１４Ｂの各々に繋がれるとともに、他方に引き紐１３０Ｃを有し、一対の把持部１１４Ａ，１１４Ｂの間において引き紐１３０Ｃが上方に引っ張られることにより、一対の把持部１１４Ａ，１１４Ｂを互いに接近させる役割を果たす。一例として、本実施形態では、引張部１３０は、架渡部１３０Ａと、介在部１３０Ｂと、引き紐１３０Ｃとを備えて構成されている。
【００２３】
架渡部１３０Ａは、押ボタン１１の上方にて一対の把持部１１４Ａ，１１４Ｂの間に架け渡された紐状の部分である。架渡部１３０Ａは、一端が把持部１１４Ａの外表面における比較的上端に近い位置に繋ぎ止められており、他端が把持部１１４Ｂの外表面における比較的上端に近い位置に繋ぎ止められている。
【００２４】
介在部１３０Ｂは、架渡部１３０Ａと引き紐１３０Ｃとの間に連結されて介在する部分である。介在部１３０Ｂには、引張力が加わったときに伸長することができるように、弾性部材（例えば、エラストラマー、ゴム等）が用いられている。図１の例では、介在部１３０Ｂは、環状をなしているが、これに限らない。例えば、介在部１３０Ｂは、直線的な棒状、１本の紐状、平板状等をなしていてもよい。
【００２５】
引き紐１３０Ｃは、一端が介在部１３０Ｂに繋がれており、他端には患者の衣服に取り付けるための取付具１３４が設けられている。取付具１３４には、例えば、衣類を挟み込むことによって衣類に取り付けられるクリップ等が用いられる。また、引き紐１３０Ｃは、その中間位置に安全装置１３２が設けられている。安全装置１３２は、引き紐１３０Ｃに所定値以上の引張力が加わるとロックが外れて、引き紐１３０Ｃを二分するように構成されている。
【００２６】
安全装置１３２には、公知のものを用いることができる。一例として、本実施形態では、安全装置１３２は、第１の部品および第２の部品（ともに樹脂製）が互いに着脱自在に構成されている。具体的には、第１の部品の球状の先端部分を、第２の部品の開口部に嵌め込むことにより、第１の部品および第２の部品を互いに繋ぎ合わせることができるようになっている。そして、所定値以上の引張力が加わると、第２の部品の開口部が変形して押し広げられることにより、当該開口部から第１の部品の先端部分が抜け落ち、第１の部品および第２の部品が互いに分離するように構成されている。
【００２７】
固定ベルト１４０は、本体１１０の底部に繋がれており、引き紐１３０Ｃが引っ張られたときに本体１１０が移動してしまわないように、本体１１０をベッドのフレーム、手すり、脚部等に固定するためのものである。
【００２８】
〔アタッチメント１００の動作説明〕
図２は、本発明の一実施形態に係るアタッチメント１００の動作説明を示す図である。図２（ａ）は、引き紐１３０Ｃが引っ張られていないときのアタッチメント１００の状態を示している。図２（ｂ）は、引き紐１３０Ｃが引っ張られているときのアタッチメント１００の状態を示している。なお、図２の例において、アタッチメント１００の本体１１０は、固定ベルト１４０によってベッドのフレーム、手すり、脚部等に固定されているものとする。
【００２９】
通常、引き紐１３０Ｃは弛んだ状態となっている。そして、患者によって引き紐１３０Ｃが引っ張られ、引き紐１３０Ｃの弛みが解消されると、図２（ｂ）に示すように、引き紐１３０Ｃが、介在部１３０Ｂを介して、架渡部１３０Ａを上方（図中方向Ａ）に引っ張り上げる。これにより、架渡部１３０Ａに繋がれた把持部１１４Ｂが、握り押ボタン式子機１０の方向（図中方向Ｂ）に撓む。また、架渡部１３０Ａに繋がれた把持部１１４Ａが、握り押ボタン式子機１０の方向（図中方向Ｃ）に撓む。これにより、一対の把持部１１４Ａ，１１４Ｂが、互いに接近した状態となる。
【００３０】
このとき、一対の把持部１１４Ａ，１１４Ｂの間、且つ、押ボタン１１の上方において、把持部１１４Ｂの内面側に固設された押下部１１６のスライド部１１６ａが、把持部１１４Ａに近づく方向（図中方向Ｄ）にスライドする。これにより、スライド部１１６ａが、把持部１１４Ａの内面側に固設されたレバー部１１６ｂの傾斜面（レバー部１１６ｂの先端側に向かって徐々に降下する傾斜面）に当接して、レバー部１１６ｂを下方（図中方向Ｅ）に押し下げる。これにより、レバー部１１６ｂの先端部分が、握り押ボタン式子機１０の押ボタン１１を押下する。
【００３１】
引き紐１３０Ｃがさらに引っ張られると、介在部１３０Ｂが上方（図中方向Ｆ）に伸長する。介在部１３０Ｂが伸長している間、架渡部１３０Ａは、上方に引っ張られたままである。すなわち、握り押ボタン式子機１０の押ボタン１１が押下されたままである。そして、押ボタン１１が押下されている時間が所定時間に達したとき、ナースコールの呼び出しが行われる。
【００３２】
介在部１３０Ｂが伸びきった状態で引き紐１３０Ｃがさらに引っ張られると、患者の衣服から取付具１３４が外れる。これにより、引き紐１３０Ｃに対する引張力が解消され、アタッチメント１００は、図２（ａ）に示す元の状態（押ボタン１１を押下していない状態）に戻る。
【００３３】
以上詳しく説明したように、本発明の一実施形態によれば、引き紐１３０Ｃが瞬時に引っ張られた場合であっても、伸びきった引き紐１３０Ｃが患者の衣服から外れてしまう前に、介在部１３０Ｂ（弾性部材の部分）が徐々に伸長するようになる。そして、介在部１３０Ｂが伸長し続けている間は、押ボタン１１が押され続けるようになる。さらに、押ボタン１１が押されている時間が所定時間に達したとき、ナースコールの呼び出しが行われるようになる。よって、本発明の一実施形態によれば、引き紐１３０Ｃが瞬時に引っ張られた場合であっても、ナースコールの呼び出しがなされるようにすることができる。
【００３４】
なお、本実施形態のアタッチメント１００は、引き紐１３０Ｃを容易に外れることがないような方法（例えば、引き紐１３０Ｃを縛り付ける等）で、患者の衣服に取り付けることもできる。この場合は、引き紐１３０Ｃが伸びきった状態で、引き紐１３０Ｃに所定値以上の引張力が加わると、引き紐１３０Ｃに設けられた安全装置１３２のロックが外れて、引き紐１３０Ｃが、介在部１３０Ｂに繋がれた部分と、取付具１３４が設けられている部分とに二分割される。これにより、アタッチメント１００が破壊されてしまうことを防止することができるようになっている。
【００３５】
また、本実施形態のアタッチメント１００は、引き紐１３０Ｃが引っ張られた場合に限らず、一対の把持部１１４Ａ，１１４Ｂを患者が手で握った場合も、一対の把持部１１４Ａ，１１４Ｂが互いに接近した状態となるため、ナースコールの呼び出しを行うことが可能である。
【００３６】
〔アタッチメント１００の第１変形例〕
図３は、本発明の一実施形態に係るアタッチメント１００の第１変形例を示す図である。図３に示すアタッチメント１００’は、引張部１３０の代わりに引張部１３０’を備える点で、図１に示すアタッチメント１００と異なる。
【００３７】
引張部１３０’は、架渡部１３０Ａ’と、引き紐１３０Ｃとを備えている。すなわち、引張部１３０’は、架渡部１３０Ａ’に引き紐１３０Ｃの一端が直接繋がれている。また、架渡部１３０Ａ’は、弾性部材（例えば、エラストラマー、ゴム等）が用いられている点で、図１の架渡部１３０Ａと異なる。
【００３８】
この第１変形例では、引き紐１３０Ｃが引っ張られると、引き紐１３０Ｃが直接的に架渡部１３０Ａ’を上方に引っ張り上げる。これにより、一対の把持部１１４Ａ，１１４Ｂが互いに接近し、押ボタン１１が押下される。この状態から、引き紐１３０Ｃがさらに引っ張られると、架渡部１３０Ａ’が上方（図中方向Ｇ）に伸長する。そして、架渡部１３０Ａ’が伸長している間、握り押ボタン式子機１０の押ボタン１１が押下されたままとなる。そして、押ボタン１１が押下されている時間が所定時間に達したとき、ナースコールの呼び出しが行われる。
【００３９】
この第１変形例によれば、引き紐１３０Ｃが瞬時に引っ張られた場合であっても、引き紐１３０Ｃが患者の衣服から外れてしまう前に、架渡部１３０Ａ’（弾性部材の部分）が徐々に伸長するようになる。そして、架渡部１３０Ａ’が伸長し続けている間は、押ボタン１１が押され続けるようになる。さらに、押ボタン１１が押されている時間が所定時間に達したとき、ナースコールの呼び出しが行われるようになる。よって、この第１変形例によれば、引き紐１３０Ｃが瞬時に引っ張られた場合であっても、ナースコールの呼び出しがなされるようにすることができる。
【００４０】
なお、この第１変形例では、架渡部１３０Ａ’に弾性部材を用いているが、引き紐１３０Ｃに弾性部材を用いてもよい。この場合、引き紐１３０Ｃが瞬時に引っ張られた場合であっても、引き紐１３０Ｃが徐々に伸長することで、押ボタン１１が押され続けるようになる。
【００４１】
〔アタッチメント１００に接続可能な握り部１３６〕
図４は、本発明の一実施形態に係るアタッチメント１００，１００’に接続可能な握り部１３６を示す図である。図４に示す握り部１３６は、取付具１３４の代わりに引き紐１３０Ｃに接続できるようになっている。具体的には、握り部１３６に紐で繋がれている安全装置１３２’の形状は、アタッチメント１００，１００’の引き紐１３０Ｃに設けられている安全装置１３２の形状と同様である。このため、引き紐１３０Ｃにおいて、取付具１３４を接続する代わりに、握り部１３６を接続することが可能となっている。
【００４２】
図４（ｂ）に示すように、握り部１３６は、患者が指をひっかけて握ることが可能な形状を有している。これにより、取付具１３４の代わりに握り部１３６が接続されたアタッチメント１００，１００’は、患者が握り部１３６を握った状態で引き紐１３０Ｃを直接引っ張ることで、ナースコールの呼び出しを行うことができるようになる。
【００４３】
このように、本発明の一実施形態に係るアタッチメント１００，１００’は、必要に応じて、安全装置１３２に接続する部品を付け替えることにより、取付具１３４を患者の衣服に接続するように構成したり、患者が握り部１３６を握って引き紐１３０Ｃを直接引っ張ることができるように構成したりする等、複数の用途に利用することが可能となっている。
【００４４】
なお、上記実施形態において、押下部１１６の構成は上記したものに限らない。すなわち、押下部１１６は、一対の把持部１１４Ａ，１１４Ｂが互いに接近したときに、下方に変形して押しボタン１１を押下するように構成されていればよく、例えば、上記特許文献３に記載のレバー部と同様に、２つのアームが互いに突っ張り合うことで、これらの結合部が押しボタンを押し込む構成を採用してもよい。
【００４５】
その他、上記説明した実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【符号の説明】
【００４６】
１０  握り押ボタン式子機
１１  押ボタン
１２  ケーブル
１００，１００’  アタッチメント
１１２  基部
１１４Ａ  把持部
１１４Ｂ  把持部
１１６  押下部
１１６ａ  スライド部
１１６ｂ  レバー部
１３０，１３０’  引張部
１３０Ａ，１３０Ａ’  架渡部
１３０Ｂ  介在部
１３０Ｃ  引き紐
１３２，１３２’  安全装置
１３４  取付具
１３６  握り部
１４０  固定ベルト
【図１】
2018064689.tif 000003
【図２】
2018064689.tif 000004
【図３】
2018064689.tif 000005
【図４】
2018064689.tif 000006